(57)【要約】      （修正有）【課題】ＬＥＤランプの同期点滅を制御し、点滅による安全警告、更に、「同族のインタラクティブ点滅挨拶」、「多くの同族が連動して大きなグループインタラクションを呈する」の効果を有する双方向灯光インタラクティブ制御装置を提供する。【解決手段】複数の灯光固体の点滅を相互同期動作させることができる制御装置を提供し、マイクロプロセッサ１０（ＣＰＵ）、主制御者コード設定ユニット１１、被制御者コード設定ユニット１２、信号送受信ユニット１３、灯光駆動ユニット１４、ＬＥＤランプ１５から構成される。無線信号を自発的に受信でき、同族（同族装置の製品）であるかをコード識別し、他の同族がなければ、自身を主制御者に設定し、同族の検索を継続し、自身のＬＥＤランプの点滅を駆動する。同族信号を受信する時は、同族者を被制御者とし、同族のＬＥＤランプを同期点滅させる。【選択図】図１
0003186532.tif 000002
【実用新案登録請求の範囲】
【請求項１】
複数の灯体であり、各灯体が何れもマイクロプロセッサ、主制御者コード設定ユニット、被制御者コード設定ユニット、信号送受信ユニット、灯光駆動ユニット、ＬＥＤランプから構成され、そのうち、
該主制御者コード設定ユニットは、マイクロプロセッサ、信号送受信ユニット、灯光駆動ユニット、被制御者コード設定ユニットに接続し、オンにする時、その他の灯体が周囲にない時、主制御者コード設定ユニットは、自身を主制御者にするようコード設定でき、
該被制御者コード設定ユニットは、マイクロプロセッサ、信号送受信ユニット、灯光駆動ユニットに接続し、その他の同族灯体の信号を受信する時、被制御者コード設定ユニットは、被制御者コード信号を発し、該その他の同族灯体を被制御者に設定でき、
該信号送受信ユニットは、マイクロプロセッサに接続し、それは、無線信号を受信し、制御信号を発信でき、
該灯光駆動ユニット及びＬＥＤランプは、主制御者コード設定ユニット、被制御者コード設定ユニットに接続し、灯光駆動ユニットは、制御信号を受信して、ＬＥＤランプを点滅動作させ、
該マイクロプロセッサは、信号を受信し、比較、演算し、制御信号を発信する機能を有し、上記の装置により、複数の灯体を制御し、そのうち１つを主制御者として形成し、その他の灯体を被制御者とし、且つ主制御者、被制御者のＬＥＤランプを制御し、同期点滅の効果を得る双方向灯光インタラクティブ制御装置。
【考案の詳細な説明】
【技術分野】
【０００１】
本考案は、双方向灯光インタラクティブ制御装置に関し、特に、複数の灯体を使用し、無線信号を受信し、複数の灯体の灯光の同期点滅を制御するインタラクティブ制御装置に関する。
【背景技術】
【０００２】
従来の点滅式灯光装置は、何れも「固定式」の動作機能を設け、詳細には、ＬＥＤランプが呈する固定点滅モードを設定制御するものであり、複数の灯光は、「個別動作」であり、同一の点滅モードに同期することもできず、同一メーカーの灯体であっても、複数の個体を同期点滅するよう自動制御することができない。また、「自転車の点滅安全灯」を例とすると、従来は、各自点滅するものであり、複数のランプを合わせる時、同期点滅モードを呈するよう自動調整できず、ただ点滅で安全を警告する効果を有するのみであり、他人と「同期点滅の挨拶」、「大群体の融合」の効果を発生することはできない。
【先行技術文献】
【特許文献】
【０００３】
【特許文献１】特開２００８−７９１３９号公報
【考案の概要】
【考案が解決しようとする課題】
【０００４】
本考案は、従来の「点滅灯」の制御機構を超えたものであり、主な技術、目的は、灯体がマイクロプロセッサ、主制御者コード設定ユニット、被制御者コード設定ユニット、信号送受信ユニット、灯光駆動ユニット、ＬＥＤランプ、を設け、検索制御信号を発信、受信し、同族の灯体があるかを検索し、識別後、自身（最も先に信号を発信した者）を「主制御者」に自動設定し、他人のその他の灯体を「被制御者」に設定し、主制御者、被制御者のＬＥＤランプの同期点滅を制御し、これにより、点滅による安全警告の効果を有し、更に、「同族のインタラクティブ点滅挨拶」、「多くの同族が連動して大きなグループインタラクションを呈する」の効果を有する。
【課題を解決するための手段】
【０００５】
本考案の双方向灯光インタラクティブ制御装置は、複数の灯体であり、各灯体が何れもマイクロプロセッサ、主制御者コード設定ユニット、被制御者コード設定ユニット、信号送受信ユニット、灯光駆動ユニット、ＬＥＤランプから構成され、そのうち、該主制御者コード設定ユニットは、マイクロプロセッサ、信号送受信ユニット、灯光駆動ユニット、被制御者コード設定ユニットに接続し、オンにする時、その他の灯体が周囲にない時、主制御者コード設定ユニットは、自身を主制御者にするようコード設定でき、該被制御者コード設定ユニットは、マイクロプロセッサ、信号送受信ユニット、灯光駆動ユニットに接続し、その他の同族灯体の信号を受信する時、被制御者コード設定ユニットは、被制御者コード信号を発し、該その他の同族灯体を被制御者に設定でき、該信号送受信ユニットは、マイクロプロセッサに接続し、それは、無線信号を受信し、制御信号を発信でき、該灯光駆動ユニット及びＬＥＤランプは、主制御者コード設定ユニット、被制御者コード設定ユニットに接続し、灯光駆動ユニットは、制御信号を受信して、ＬＥＤランプを点滅動作させ、該マイクロプロセッサは、信号を受信し、比較、演算し、制御信号を発信する機能を有し、上記の装置により、複数の灯体を制御し、そのうち１つを主制御者として形成し、その他の灯体を被制御者とし、且つ主制御者、被制御者のＬＥＤランプを制御し、同期点滅の効果を得る。
【考案の効果】
【０００６】
本考案の双方向灯光インタラクティブ制御装置は、点滅による安全警告の効果を有し、更に、「同族のインタラクティブ点滅挨拶」、「多くの同族が連動して大きなグループインタラクションを呈する」の効果を有する。
【図面の簡単な説明】
【０００７】
【図１】本考案の構造ブロック説明図である。
【図２】本考案の動作機能ブロック説明図である。
【図３】本考案の主制御者、被制御者を設定するブロック説明図である。
【考案を実施するための形態】
【０００８】
図１、図２、図３を参照し、それは、複数の灯体１００であり、各灯体１００が何れもマイクロプロセッサ１０、主制御者コード設定ユニット１１、被制御者コード設定ユニット１２、信号送受信ユニット１３、灯光駆動ユニット１４、ＬＥＤランプ１５から構成され、そのうち、
該主制御者コード設定ユニット１１は、マイクロプロセッサ１０、信号送受信ユニット１３、灯光駆動ユニット１４、被制御者コード設定ユニット１２に接続し、オンにする時、その他の灯体１００が周囲にない時、主制御者コード設定ユニット１１は、自身を主制御者にするようコード設定でき、
該被制御者コード設定ユニット１２は、マイクロプロセッサ１０、信号送受信ユニット１３、灯光駆動ユニット１４に接続し、その他の同族灯体１００の信号を受信する時、被制御者コード設定ユニット１２は、被制御者コード信号を発し、該その他の同族灯体を被制御者に設定でき、
該信号送受信ユニット１３は、マイクロプロセッサ１０に接続し、それは、無線信号を受信し、制御信号を発信でき、
該灯光駆動ユニット１４及びＬＥＤランプ１５は、主制御者コード設定ユニット１１、被制御者コード設定ユニット１２に接続し、灯光駆動ユニット１４は、制御信号を受信して、ＬＥＤランプ１５を点滅動作させ、
該マイクロプロセッサ（ＣＰＵ）１０は、信号を受信し、比較、演算し、制御信号を発信する機能を有する。
【０００９】
上記の装置に基づき、本考案の作用、効果を以下に詳細に説明する。図１、図２、図３を参照し、灯体１００を「自転車」に取り付けることを例とし、オンにした後、信号送受信ユニット１３、が無線信号を受信（検索）でき、如何なる無線信号もないか、同族の無線信号がなければ、その主制御者コード設定ユニット１１は、自身を「主制御者」にコード設定でき、灯光駆動ユニット１４、を動作させ、ＬＥＤランプ１５を点滅発光させ、同時に、被制御者コード設定ユニット１２を動作させ、被制御者コード信号を発し、このように、上記の動作を持続し、持続的点滅、及び同族灯体１００を検索する効果を形成する。
【００１０】
上記のように、本考案の構造は、確実に極めて良好な実用性及び増進効果を有し、実用新案の要件に適合する。
【００１１】
その他の同族灯体１００が上記「主制御者」の信号受信範囲に接近する時、該同族灯体１００は、「主制御者」が発する「被制御者コード」信号を受信でき、該同族灯体１００の被制御者コード設定ユニット１２がこの「被制御者コード」を受け取ることができ、自身を「被制御者」に変換し、同時に灯光駆動ユニット１４にそのＬＥＤランプ１５を駆動させ、主制御者のＬＥＤランプ１５と同期点滅させ、これにより、相互に挨拶するインタラクション効果を有する。特に、同族１００の数量が多い時、大きなグループ灯光同期点滅を形成し、更に顕著な安全効果を有し、「グループ団結インタラクション」の仲良く楽しい雰囲気を出す効果を有する。
【００１２】
上記は、自転車に取り付けることを例としているが、本考案は、当然ながら、自動車、その他の建築物、又はジョギング、又は走行の状況に使用でき、何れも顕著な安全警告の効果を有することができる。
【００１３】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００１４】
１０  マイクロプロセッサ
１１  主制御者コード設定ユニット
１２  被制御者コード設定ユニット
１３  信号送受信ユニット
１４  灯光駆動ユニット
１５  ＬＥＤランプ
１００  灯体
【図１】
0003186532.tif 000003
【図２】
0003186532.tif 000004
【図３】
0003186532.tif 000005